(57)【要約】  本発明のスーツは、獣毛繊維及び／又は合成繊維からなる織物で構成される上着(2)とズボン(3)及び／又はスカートを含む上下揃いのスーツ(1)であって、上着(2)はタテ方向に比べてヨコ方向のストレッチ性が高く、ズボン(3)及び／又はスカートはヨコ方向に比べてタテ方向のストレッチ性が高い。このスーツは、上下とも同品質の糸を同じ方法で染色し、同じ組織で製織した織物を製造し、仕上げ工程のヒートセットの幅出し加工においてタテ方向とヨコ方向のストレッチ性を異ならせて上着用生地とズボン用及び／又はスカート用生地をそれぞれ製造し、裁断し、縫製する。これにより、上下揃いのスーツでありながら、動き易い機能を付与したスーツ及びその製造方法を提供する。
2013157162.tif 000002
【特許請求の範囲】
【請求項１】
獣毛繊維及び／又は合成繊維からなる織物で構成される上着とズボン及び／又はスカートを含む上下揃いのスーツであって、
前記上着はタテ方向に比べてヨコ方向のストレッチ性が高く、
前記ズボン及び／又はスカートはヨコ方向に比べてタテ方向のストレッチ性が高いことを特徴とするスーツ。
【請求項２】
前記上着のヨコ方向のストレッチ性（ＪＸ）は１０〜１６％、タテ方向のストレッチ性（ＪＹ）は２〜８％の範囲である請求項１に記載のスーツ。
【請求項３】
前記ズボン及び／又はスカートのヨコ方向のストレッチ性（ＰＸ）は３％〜１０％、タテ方向のストレッチ性（ＰＹ）は８〜１４％の範囲であり、ＰＸ＜ＰＹである請求項１又は２に記載のスーツ。
【請求項４】
前記獣毛繊維を含む織物は、獣毛繊維が７０質量％以上と、獣毛繊維以外の他の繊維が３０質量％以下である請求項１〜３のいずれか１項に記載のスーツ。
【請求項５】
前記織物は伸縮性合成繊維を含まない請求項１〜４のいずれか１項に記載のスーツ。
【請求項６】
前記ストレッチ性は、最大荷重５００ｇｆ／ｃｍの最大伸び率で測定する請求項１〜５のいずれか１項に記載のスーツ。
【請求項７】
前記スーツを構成する織物は、繊維材料及び織物組織が同一であり、無地の場合は色彩が同一であり、色柄の場合は模様が同一である請求項１〜６のいずれか１項に記載のスーツ。
【請求項８】
前記スーツを構成する織物は、綿染め、糸染め及び反染めから選ばれる少なくとも一つの染色品である請求項１〜７のいずれか１項に記載のスーツ。
【請求項９】
請求項１〜８のいずれかに記載のスーツの製造方法であって、
上下とも同品質の糸を同じ方法で染色し、同じ組織で製織した織物を製造し、
仕上げ工程の乾燥機又はヒートセットの幅出し加工においてタテ方向とヨコ方向のストレッチ性を異ならせて上着用生地とズボン用及び／又はスカート用生地をそれぞれ製造し、
上着はタテ方向に比べてヨコ方向のストレッチ性が高く、ズボン及び／又はスカートはヨコ方向に比べてタテ方向のストレッチ性が高くなるように裁断し、縫製してスーツに仕立てたことを特徴とするスーツの製造方法。
【請求項１０】
前記幅出し加工はテンターで行う請求項９に記載のスーツの製造方法。
【請求項１１】
前記幅出し加工の温度は１００〜１５０℃、時間は１〜１０分である請求項９又は１０に記載のスーツの製造方法。
【請求項１２】
前記スーツが獣毛繊維が７０％以上の織物であるとき、幅出し加工以前に還元処理することにより、経緯２方向のストレッチ織物とする請求項９〜１１のいずれか１項に記載のスーツの製造方法。
【発明の詳細な説明】
【技術分野】
【０００１】
本発明は、上下揃いのスーツであって、上着とズボン及び／又はスカートでストレッチ方向もストレッチ性も異なるスーツ及びその製造方法に関する。
【背景技術】
【０００２】
一般的にスーツとは、上着とズボン及び／又はスカートともに同生地を用いて製造される上下揃いの洋服であり、セットアップスーツ又はコーディネートスーツなどと称されるものは上下を別デザインで製造した組み合わせが自由な洋服で、生地は同一のときもあれば別のときもある。これらのスーツ類において同一生地で製造されるものは上下とも同一の色柄の揃いの洋服となるため、フォーマルな装いとなるが、ストレッチ性も同一になるため、動きやすいとは言えなかった。一方、上下別生地で製造されるものは、ストレッチ性に優れた動きやすい組み合わせにすることが可能であるが、色柄が異なり、フォーマルに相応しいとは言えなかった。【０００３】
従来からの提案として、特許文献１〜２にはウールとポリエステルフィラメント糸と併用することによりストレッチ性を出すことが提案されている。特許文献３にポリウレタンのようなエラストマー繊維の表面にウールを巻き付けたコアスパンヤーンによりストレッチ性を出すことが提案されている。特許文献４にはウールをエチレンジアミンで処理してストレッチ性を出すことが提案されている。【０００４】
しかし、前記特許文献１〜４に提案されている方法は、人体の動きに合わせたストレッチ性の方向性に関する工夫がなく、さらなる改良が求められていた。
【先行技術文献】
【特許文献】
【０００５】
【特許文献１】特開2009-235655号公報
【特許文献２】特開2006-257632号公報
【特許文献３】特開2009-001951号公報
【特許文献４】特開2008-274505号公報
【発明の概要】
【発明が解決しようとする課題】
【０００６】
本発明は前記従来の問題を改善し、上下揃いのスーツでありながら、動き易い機能を付与したスーツ及びその製造方法を提供する。
【課題を解決するための手段】
【０００７】
本発明のスーツは、獣毛繊維及び／又は合成繊維からなる織物で構成される上着とズボン及び／又はスカートを含む上下揃いのスーツであって、前記上着はタテ方向に比べてヨコ方向のストレッチ性が高く、前記ズボン及び／又はスカートはヨコ方向に比べてタテ方向のストレッチ性が高いことを特徴とする。【０００８】
本発明のスーツの製造方法は、上下とも同品質の糸を同じ方法で染色し、同じ組織で製織した織物を製造し、仕上げ工程の乾燥機又はヒートセットの幅出し加工においてタテ方向とヨコ方向のストレッチ性を異ならせて上着用生地とズボン用及び／又はスカート用生地をそれぞれ製造し、上着はタテ方向に比べてヨコ方向のストレッチ性が高く、ズボン及び／又はスカートはヨコ方向に比べてタテ方向のストレッチ性が高くなるように裁断し、縫製してスーツに仕立てたことを特徴とする。
【発明の効果】
【０００９】
本発明は、上着はタテ方向に比べてヨコ方向のストレッチ性が高く、ズボン及び／又はスカートはヨコ方向に比べてタテ方向のストレッチ性が高く、人体の動きに追従したストレッチ性を有するため、上下揃いのスーツでありながら、動き易い機能を付与したスーツ及びその製造方法を提供できる。
【図面の簡単な説明】
【００１０】
【図１】図１は本発明の一実施態様における紳士用スーツの正面図である。
【図２】図２は本発明の別の実施態様における婦人用スーツの正面図である。
【図３】図３は本発明のさらに別の実施態様における婦人用スーツの正面図である。
【発明を実施するための形態】
【００１１】
本発明者らは、スーツ着用時の人間の動き易さを考えると、上着は腕を組んだり手を伸ばしたりの動作に伴い横方向へのストレッチ性に富む方が動きやすく、ズボン及び／又はスカートは立ったり座ったりの動作に伴う経方向のストレッチに富む方が動き易いことに着想を得て本発明を完成した。
【００１２】
本発明のスーツは、獣毛繊維及び／又は合成繊維からなる織物で構成される。獣毛繊維はウールが代表的であるが、ラム・ウール、カシミア、モヘア、アルパカ、キャメル、アンゴラも含む。合成繊維はポリエステル繊維が代表的であるが、ナイロン繊維、アクリル系繊維も含む。繊維構成はウール７０％以上が好ましく、さらに好ましくはウール１００％とし、他の繊維を加える場合は飾り糸程度とする。このようにすると最も品質の高い織物とすることができる。
【００１３】
本発明は、上着とズボン及び／又はスカート（以下単に「上下」とも言う。）を含む上下揃いのスーツである。上着とズボン、上着とスカートはスーツの必須構成要素である。このほかベストが含まれる場合は、上着と同じ構成とする。そして、上着はタテ方向に比べてヨコ方向のストレッチ性を高く、ズボン及び／又はスカートはヨコ方向に比べてタテ方向のストレッチ性を高くする。このようにすると、人体の動きに追従したストレッチ性を有し、動き易い機能を付与した上下揃いのスーツとすることができる。本発明において上着とはジャケットとも言う。またズボンはパンツとも言い、女性用はパンタロンとも言う。
【００１４】
前記スーツを構成する織物は、好ましくは繊維材料及び織物組織(織柄を含む)が同一であり、無地の場合は色彩が同一であり、色柄の場合は模様が同一である。ここで「同一」とは実質同一を言い、肉眼で見て一見して相違がわからない程度を言う。より具体的には、色彩の場合は、測色機による測定でデルタ（Δ）Ｅは１以内であることが好ましく、さらに好ましくは０．５以内である。また色柄の一種であるストライプ柄などのピッチは上着のピッチに対してズボン又はスカートのピッチが０．９〜１．１倍にあることが好ましい。これは後に説明する製造方法の最終段階において、幅出し加工をする際に、上下で別々の幅出し加工をし、タテ方向とヨコ方向のストレッチ性を変えるため、色彩と模様が多少異なることがあるからである。
【００１５】
本発明のスーツに使用する織物は先染め品が好ましい。先染め品は綿染め（トップ染めともいう）又は糸染めによって得られる。先染め品を使用することにより、ストライプ柄のような柄を表現することができ、反物間の色彩のずれもない。また、綿染めの場合は複数の色綿を使用して色彩を表現するため品位が高い織物ができる。一方、無地織物は織物を製造した後に染める後染め（反物染め又は生地染めともいう）であっても良い。
【００１６】
本発明のスーツに使用する織物は、綾織、平織、朱子織など公知のいかなる織物組織であっても良い。このうち平織組織又は２／１及び２／２綾織物組織が高品位であることから好ましい。
【００１７】
上着のヨコ方向のストレッチ性（ＪＸ）は荷重５００ｇｆ／ｃｍの伸び率で１０〜１６％が好ましく、さらに好ましくは１２〜１４％である。タテ方向のストレッチ性（ＪＹ）は荷重５００ｇｆ／ｃｍの伸び率で２〜８％が好ましく、さらに好ましくは４〜６％である。
【００１８】
ズボン及び／又はスカートのヨコ方向のストレッチ性（ＰＸ）は荷重５００ｇｆ／ｃｍの伸び率で３〜１０％が好ましく、さらに好ましくは４〜６％である。タテ方向のストレッチ性（ＰＹ）は荷重５００ｇｆ／ｃｍの伸び率で８〜１４％が好ましく、さらに好ましくは１０〜１２％であり、ＰＸ＜ＰＹとするのが好ましい。
【００１９】
本発明のスーツに使用する織物生地は、ポリウレタン繊維などの伸縮性合成繊維を含まないことが好ましい。ポリウレタン繊維などの伸縮性合成繊維を含むとウール織物の品位が低下する傾向になる。
【００２０】
本発明のスーツの製造方法は、最終仕上げ工程の乾燥機又はヒートセットの幅出し加工においてタテ方向とヨコ方向のストレッチ性を異ならせて上着用生地とズボン用及び／又はスカート用生地をそれぞれ製造する。すなわち、最終仕上げ工程のヒートセットの幅出し加工においてヨコ方向（幅方向）に引っ張ると縦方向のストレッチ性は高くなり、緩和するとストレッチ性は低くなる。また、オーバーフィード率を大きくすると経方向のストレッチ性は高くなり、少なくするとストレッチ性は低くなる。タテ方向（長さ方向）についても同様である。このようにしてタテ方向とヨコ方向のストレッチ性を異ならせて、それぞれの生地を製造する。幅出し加工はテンターで行っても良い。また、最終仕上げ工程の前の織物は経緯２方向のストレッチ性があることが好ましい。経緯２方向のストレッチ性織物の製造方法は、獣毛繊維が７０％以上の織物のときは、還元処理により経緯２方向のストレッチ織物を製造し、合成繊維が３０％以上のときは、水溶性ビニロン、ポリエチレンテレフタレートやポリブチレンテレフタレートなどの高収縮糸などを用いた手法で経緯２方向のストレッチ織物を製造するのが好ましいが、これらの方法に限定されるものではない。
【００２１】
前記幅出し加工の温度は１００〜１５０℃が好ましく、さらに好ましくは１１０〜１３０℃である。時間は１〜１０分が好ましく、さらに好ましくは３〜８分である。前記の範囲であれば、タテ方向とヨコ方向のストレッチ性を異ならせたまま熱固定でき、寸法安定性を保持できる。スーツに仕立てた後、アイロン程度の温度では変形しない。
【００２２】
次に、上着はタテ方向に比べてヨコ方向のストレッチ性が高く、ズボン及び／又はスカートはヨコ方向に比べてタテ方向のストレッチ性が高くなるように裁断する。裁断はコンピュータを使用した自動裁断機で行ってもよいし、一枚ずつ鋏又はカッターで裁断しても良い。裁断した後は通常の手法に従い、縫製してスーツに仕立てる。
【００２３】
本発明のスーツのストレッチ性は、ＫＥＳ試験で測定する。ＫＥＳ試験とは、京都大学川端季雄教授が提唱し、日本繊維機械学界内に設けられた「風合い計量と規格化研究委員会」によって、衣服用布地の風合いの客観的評価法に基づくものであり、カトーテック株式会社製、商品名”KES-FB2-AUTO-A”によって評価する。この評価においてストレッチ性ＥＭが１０％以上であることは、スパンデックス繊維を含まない織物については驚くべきことである。ストレッチ性が前記のように高いと、スーツに仕立てたときに人間の動きを制約せず、着心地のよいものとなる。
【００２４】
本発明のスーツは、会社や官公庁などで仕事着として着用される個人及びユニホームを含むスーツ、警察官、自衛隊、消防隊などの構成員が改まった仕事に使用するためのフォーマルウェアなどに好適である。
【００２５】
次に図面を用いて説明する。図１は本発明の一実施例における紳士用スーツの正面図である。この紳士用スーツ１は、上着２とズボン３で構成される上下揃いのスーツであり、繊維材料、織物組織及び色柄が同一であり、上着２はタテ方向に比べてヨコ方向のストレッチ性が高く、ズボン３はヨコ方向に比べてタテ方向のストレッチ性が高い。ストレッチ性はタテとヨコの矢印で示している。
【００２６】
図２は本発明の別の実施例における婦人用スーツの正面図である。この婦人用スーツ４は、上着５とスカート６で構成される上下揃いのスーツであり、繊維材料、織物組織及び色柄が同一であり、上着５はタテ方向に比べてヨコ方向のストレッチ性が高く、スカート６はヨコ方向に比べてタテ方向のストレッチ性が高い。ストレッチ性はタテとヨコの矢印で示している。
【００２７】
図３は本発明のさらに別の実施例における婦人用スーツの正面図である。この婦人用スーツ７は、上着８とスカート９で構成される上下揃いのスーツであり、繊維材料、織物組織及び色柄が同一であり、上着８はタテ方向に比べてヨコ方向のストレッチ性が高く、ズボン９はヨコ方向に比べてタテ方向のストレッチ性が高い。ストレッチ性はタテとヨコの矢印で示している。
【実施例】
【００２８】
実施例により本発明を具体的に説明する。本発明は下記の実施例に限定されるものではない。
＜ストレッチ性＞
ストレッチ性はＫＥＳ試験における経方向および緯方向のストレッチ性（ＥＭ１およびＥＭ２）を測定した。具体的には引張せん断試験機（カトーテック製 ＫＥＳ−ＦＢ１ＡＵＴＯ）を用いて、ひずみ速度４×１０−３／ｓｅｃの一定速度で最大荷重５００ｇまで荷重を掛けたときの最大伸び率、すなわち最大荷重５００ｇｆ／ｃｍの最大伸び率で評価した。【００２９】
（実施例１）
（１）織物生地
織物はオーストラリア産メリノ種の羊毛１００％を用い、綿染め品とし、メートル７２番手の双糸を経糸と緯糸に使い、２／２綾織物、単位面積当たりの重量(目付け)１９０ｇ／ｍ2とした。
（２）還元処理
反染め機を用いて下記レサイプで浴比１：２０、６５℃で４０分処理した。
還元処理レサイプ
亜硫酸ナトリウム（還元剤）：１０％ｏｗｆ
テキスポートＳＮ−１０（日華化学製、浸透剤）：０．１ｇ／Ｌ
（３）最終仕上げ工程
上着用織物：テンター乾燥機を用いて下記の条件で幅出し加工を行った。
幅：乾燥機への供給前の幅から−２％の乾燥機幅設定
オーバーフィード率：０％
温度：１２０℃
時間：４分
ズボン用織物：テンター乾燥機を用いて下記の条件で幅出し加工を行った。
幅：乾燥機への供給前の幅から＋１３％の乾燥機幅設定
オーバーフィード率：３０％
温度：１２０℃
時間：６分【００３０】
（比較例１）
実施例と同じ織物を用い、還元処理を行わず、テンター乾燥機を用いて下記の条件で幅出し加工を行った。比較例１に上着・ズボンの区別はない。
幅：乾燥機への供給前の幅から＋２％の乾燥機幅設定
オーバーフィード率：１０％
温度：１２０℃
時間：５分【００３１】
織物生地の評価：  得られた紳士用織物生地のＫＥＳ試験におけるストレッチ性Ｅ１及びＥ２は次の表１に示すとおりであった。【００３２】
【表１】
2013157162.tif 000003
【００３３】
スーツの評価：前記織物生地を用いて裁断し、縫製して図１に例示される上下揃いのスーツに仕立てた。仕立てられたスーツの着用試験を被験者１０名で行った。アンケートは、「動作しやすい方はどちらか」と「圧力を感じるのはどちらか」との２項目で実施した。結果は表２のとおりであった。【００３４】
【表２】
2013157162.tif 000004
（備考）各部位の単位(%)は、着用者の直立時の背中部、腕部、膝部、臀部の寸法に対し、背中部は腕組み姿勢、腕部はつり革をつかむ姿勢、膝部及び臀部はしゃがむ姿勢における寸法変化の比（実施例１／比較例１）を求めた。この比が１００％より大きいと実施例１のストレッチ性が高く、動作に追従していることを表す。【００３５】
以上の結果から、本発明の実施例品は、上着はヨコ方向のストレッチ性が高く、ズボンはタテ方向のストレッチ性が高いことから、人体の動きに追従したストレッチ性を有し、動き易いことが確認できた。【００３６】
（実施例２）
上着用織物は実施例１と同一物を使用し、ズボン用織物は最終仕上げ工程(幅出し加工)における乾燥機への供給前の幅から乾燥機幅設定値、及びオーバーフィード率を次のように変えた以外は実施例１と同様に実施した。条件と結果を表３にまとめて示す。
ズボン用織物：テンター乾燥機を用いて下記の条件で幅出し加工を行った。
幅：乾燥機への供給前の幅から＋１０％の乾燥機幅設定
オーバーフィード率：２５％
温度：１２０℃
時間：６分【００３７】
（実施例３）
上着用織物は実施例１と同一物を使用し、ズボン用織物は最終仕上げ工程(幅出し加工)における乾燥機への供給前の幅から乾燥機幅設定値、及びオーバーフィード率を次のように変えた以外は実施例１と同様に実施した。条件と結果を表３にまとめて示す。
ズボン用織物：テンター乾燥機を用いて下記の条件で幅出し加工を行った。
幅：乾燥機への供給前の幅から＋１５％の乾燥機幅設定
オーバーフィード率：３０％
温度：１２０℃
時間：７分【００３８】
（実施例４）
ズボン用織物は実施例１と同一物を使用し、上着用織物は最終仕上げ工程(幅出し加工)における乾燥機への供給前の幅から乾燥機幅設定値、及びオーバーフィード率を次のように変えた以外は実施例１と同様に実施した。条件と結果を表３にまとめて示す。
上着用織物：テンター乾燥機を用いて下記の条件で幅出し加工を行った。
幅：乾燥機への供給前の幅から０％の乾燥機幅設定
オーバーフィード率：１０％
温度：１２０℃
時間：５分【００３９】
（実施例５）
ズボン用織物は実施例１と同一物を使用し、上着用織物は最終仕上げ工程(幅出し加工)における乾燥機への供給前の幅から乾燥機幅設定値、及びオーバーフィード率を次のように変えた以外は実施例１と同様に実施した。条件と結果を表３にまとめて示す。
上着用織物：テンター乾燥機を用いて下記の条件で幅出し加工を行った。
幅：乾燥機への供給前の幅から−５％の乾燥機幅設定
オーバーフィード率：０％
温度：１２０℃
時間：４分【００４０】
【表３】
2013157162.tif 000005
【００４１】
以上のようにして得られた織物生地を用いて裁断し、縫製して図１に例示される上下揃いのスーツに仕立てた。仕立てられたスーツの着用試験を実施例１と同様に着用試験したところ、本発明の各実施例品は、上着はヨコ方向のストレッチ性が高く、ズボンはタテ方向のストレッチ性が高いことから、人体の動きに追従したストレッチ性を有し、動き易く着用し易いことが確認できた。また、実施例１〜５の生地を図２に示す女性用ジャケットとスカートに適用した。これも上着とズボンの例と同じく、人体の動きに追従したストレッチ性を有し、着用し易いことが確認できた。
【符号の説明】
【００４２】
１  紳士用スーツ
２，５，８  上着
３，９  ズボン
４，７  婦人用スーツ
６  スカート
【図１】
2013157162.tif 000006
【図２】
2013157162.tif 000007
【図３】
2013157162.tif 000008
【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
獣毛繊維及び／又は合成繊維からなる織物で構成される上着とズボン及び／又はスカートを含む上下揃いのスーツであって、
前記上着はタテ方向に比べてヨコ方向のストレッチ性が高く、
前記ズボン及び／又はスカートはヨコ方向に比べてタテ方向のストレッチ性が高く、
前記スーツを構成する織物は、繊維材料及び織物組織が同一であり、無地の場合は色彩が同一であり、色柄の場合は模様が同一であることを特徴とするスーツ。
【請求項２】
前記上着のヨコ方向のストレッチ性（ＪＸ）は１０〜１６％、タテ方向のストレッチ性（ＪＹ）は２〜８％の範囲である請求項１に記載のスーツ。
【請求項３】
前記ズボン及び／又はスカートのヨコ方向のストレッチ性（ＰＸ）は３％〜１０％、タテ方向のストレッチ性（ＰＹ）は８〜１４％の範囲であり、ＰＸ＜ＰＹである請求項１又は２に記載のスーツ。
【請求項４】
前記獣毛繊維を含む織物は、獣毛繊維が７０質量％以上と、獣毛繊維以外の他の繊維が３０質量％以下である請求項１〜３のいずれか１項に記載のスーツ。
【請求項５】
前記織物は伸縮性合成繊維を含まない請求項１〜４のいずれか１項に記載のスーツ。
【請求項６】
前記ストレッチ性は、最大荷重５００ｇｆ／ｃｍの最大伸び率で測定する請求項１〜５のいずれか１項に記載のスーツ。
【請求項７】
前記スーツを構成する織物は、綿染め、糸染め及び反染めから選ばれる少なくとも一つの染色品である請求項１〜６のいずれか１項に記載のスーツ。
【請求項８】
請求項１〜７のいずれかに記載のスーツの製造方法であって、
上下とも同品質の糸を同じ方法で染色し、同じ組織で製織した織物を製造し、
仕上げ工程の乾燥機又はヒートセットの幅出し加工においてタテ方向とヨコ方向のストレッチ性を異ならせて上着用生地とズボン用及び／又はスカート用生地をそれぞれ製造し、
上着はタテ方向に比べてヨコ方向のストレッチ性が高く、ズボン及び／又はスカートはヨコ方向に比べてタテ方向のストレッチ性が高くなるように裁断し、縫製してスーツに仕立てたことを特徴とするスーツの製造方法。
【請求項９】
前記幅出し加工はテンターで行う請求項８に記載のスーツの製造方法。
【請求項１０】
前記幅出し加工の温度は１００〜１５０℃、時間は１〜１０分である請求項８又は９に記載のスーツの製造方法。
【請求項１１】
前記スーツが獣毛繊維が７０％以上の織物であるとき、幅出し加工以前に還元処理することにより、経緯２方向のストレッチ織物とする請求項８〜１０のいずれか１項に記載のスーツの製造方法。
【手続補正２】
【補正対象書類名】明細書
【補正対象項目名】０００７
【補正方法】変更
【補正の内容】
【０００７】
本発明のスーツは、獣毛繊維及び／又は合成繊維からなる織物で構成される上着とズボン及び／又はスカートを含む上下揃いのスーツであって、前記上着はタテ方向に比べてヨコ方向のストレッチ性が高く、前記ズボン及び／又はスカートはヨコ方向に比べてタテ方向のストレッチ性が高く、  前記スーツを構成する織物は、繊維材料及び織物組織が同一であり、無地の場合は色彩が同一であり、色柄の場合は模様が同一であることを特徴とする。
【国際調査報告】
2013157162.tif 000009
2013157162.tif 000010
2013157162.tif 000011
2013157162.tif 000012